(57)【要約】【課題】  学校や筆記用を支給され、同じ棒状筆記用具を大勢の人々が使用した場合、放置や紛失しても所有者が容易に確認可能なように名札を筆記用具に装着する。【解決手段】  棒状筆記用具の軸の上端部に名札の長手方向と回しノブが挿入可能なスリットを設け、上部の先端に名札に直結した回しノブを回転させ名札を軸より出し入れする仕組になっており、軸孔内に名札の引出し角度が調整可能な様に小さい窪みと回しノブの回転軸のダボの嵌合によって、回しノブを回転させ、目的角度に名札を出したときの保持と節度が得られる。ノブの上端部にフックを設けることによって使い易さを増す仕組の筆記用具である。【選択図】図４
2007038549.tif 000002
【特許請求の範囲】
【請求項１】
棒状の筆記用具の軸の上端部に名札の長さと回しノブが内臓可能な長さにスリットを設け、名札の上部末端に回しノブとそのノブの上にフックを一体化し、筆記用具の軸の上端部に組込み、回しノブを回すと名札が回しノブの回転軸を中心に筆の名札が横に出て名前を確認出来る仕組の名札付棒状筆記用具。
【請求項２】
棒状の筆記用具の軸の上端部に回しノブの回転軸を嵌合する軸孔内の円周上に小さな窪みを頂点０角度として右回りに、４５度、９０度、１３５度、１８０度、２２５度に設け、回しノブの回転軸の円周上に１個だけ小さいダボを設け、回しノブに一体化した名札が、丁度、棒状筆記用具の軸内に収納された状態で棒状筆記用具の上端部の軸孔内の円周上の頂点を０角度とし、１８０角度の小さな窪みに回しノブの回転軸の前述の１個のダボが嵌合し、棒状筆記用具の軸孔内の円周上に設けられた０度、４５度、９０度、１３５度、１８０度、２２５度の小さな窪みによって、回しノブに一体化した名札を各角度で節度持って横に出すことが出来る名札付棒状筆記用具。
【発明の詳細な説明】
【技術分野】
【０００１】
本発明は、名札によって所有者や同形状で多色、多線種等を識別にした絵画用筆、書道筆、ブラシ類を含む汎用及び高級棒状筆記用具に関するものである。
【背景技術】
【０００２】
事務作業、集団などの生活の中で必ず読み書き（描き）の作業が伴い絵画用筆、書道筆、ブラシ類を含んだ筆記用具を必要とするが、学校や研修で同じ様な筆記用具が蔓延され、所有者が不明だと不特定多数が使用し、ついには紛失する恐れがあり、また、義務教育では、同品種の筆記具を使用する場合に多いので、特に、有効であり、そして、同形の筆記用具で、多色、多線種等の種類の識別が不可能になって、使用目的と異なった色や線種で作成品を失敗してしまう可能性がある。更に、高級な筆記用具になると盗難の恐れがあるので、資源のムダを省く事も含めて、所有者や種類の識別が明確にした名札付筆記用具に関するものである。
【０００３】
従来は、筆記用具には、紙テープに名前を書いて筆記用具に巻き付けて、名前を書いた紙テープが容易に脱落しないように透明なセロハンテープ等で固定していたが、使用しているとテープが剥がれ名前を書いた紙テープが脱落してしまうので、何回もセロハンテープを張替える必要がある。
【０００４】
裏面に接着剤が塗布されたカラープラスチックテープにテープライターで名前を打って筆記用具に貼り付け、カラー色も出て種類も多く一見好感も持てるが、使用頻度によっては、打ち出された字が磨耗してテープも剥がれてしまうため、何回も張替える必要がある。
【０００５】
また、高級品に関しては、名前をじか彫りしていたが、しかしながら、名前を彫りに依頼している間、日にちが掛かり使用もできないし、名前を彫る依頼は、コストも掛かる欠点がある。
【０００６】
この出願の発明に関する先行技術文献情報としては次のものがある。
【特許文献１】特開平０８−０８９３３２号
【特許文献２】実登３００３０６１号
【特許文献３】実登３０４４００２号
【特許文献４】実公平０６−０５０２３２号
【発明の開示】
【発明が解決しようとする課題】
【０００７】
解決しようとする問題点は、筆記用具が放置されたり、どの所有者に借りたか不明になったり、集団で書き物をした時、不特定多数で誰彼見境なく、同じ様な筆記用具を使用して誰の物か認識が、不可能な時に簡単に所有者の確認ができない欠点である。また、筆記用具本体は、同形であるが、インキの色や芯の太さが多種類の場合、作成品の色付けや陰影線を入れる作業時、どの筆記用具が何色や線種の識別が困難である欠点がある。
【０００８】
本発明は、以上前記で述べた棒状筆記用具の紛失や使用目的の識別を明確にして、トラブル防止や、作成ミスを防止することを目的とするものである。
【課題を解決するための手段】
【０００９】
本発明の課題を解決する手段として、棒状の筆記用具の軸（１）の上端部に名札（２）の長さと回しノブ（３）が内臓可能な長さにスリット（６）を設け、名札（２）の上端部に回しノブ（３）とその回しノブ（３）の上にフック（１０）を一体化し、筆記用具の軸（１）の上部末端に組込み、回しノブ（３）を回すと名札（２）が回しノブの回転軸（５）を中心に筆の名札（２）が横に出て名前（９）が確認出来る仕組の名札付棒状筆記用具である。
【００１０】
棒状の筆記用具の軸（１）の上端部に回しノブ（３）の回転軸（５）を嵌合する軸孔（４）内の円周上に小さな窪み（７）を頂点０角度として右回りに、４５度、９０度、１３５度、１８０度、２２５度に設け、回しノブ（３）の回転軸（５）の円周上に１個だけ小さいダボ（８）を設け、回しノブ（３）に一体化した名札（２）が、丁度、棒状筆記用具の軸（１）内に収納された状態で棒状筆記用具の上端部の軸孔（４）内の円周上の頂点を０角度とし、１８０角度の小さな窪み（７）に回しノブ（３）の回転軸（５）の前述の１個のダボ（８）が嵌合し、棒状筆記用具の軸孔（４）内の円周上に設けられた０度、４５度、９０度、１３５度、１８０度、２２５度の小さな窪み（７）によって、回しノブ（３）に一体化した名札（２）を各角度で節度持って横に出すことが出来る名札付棒状筆記用具である。
【００１１】
更に、棒状筆記用具に組み込まれた名札（２）は、棒状筆記用具の軸（１）より約１ｍｍ幅が広く設けられている。
【００１２】
名札（２）は、１枚だけでなく、２枚、３枚と数枚組込む場合もあり、透明なものを含めてカラフルにし、同形棒状筆記用具を使用するとき、線種や色別に合わせて名札（２）の色を変えたり、数枚使用する場合は、各名札（２）の色を変えたり、模様を入れてもよい、また、透明にして裏表から記入した、文字や絵柄が確認可能にする。
【００１３】
回しノブ（３）は、棒状筆記用具の軸(１)上先端より回し易い様にはみ出ている部分の滑り止めは、指を傷つけないように角にアールをつけ、また、ロウレットのように細かくしても良い。
【発明の効果】
【００１４】
本発明は、棒状筆記用具に名札（２）を付けることによって、放置や同様のものを所持しても容易に所有者が識別できる。尚、名札（２）の出る角度を４５度、９０度、１３５度、１８０度、２２５度と目的にあった角度は、棒状筆記用具の軸孔（４）内の円周上に小さな窪み（７）と回しノブ（３）の回転軸（５）のダボ（８）との嵌合で求められる。１８０度の場合、薄い札のみならず、円柱や角柱、三角柱などであれば、棒状筆記用具がそれだけ長く使用できる。
【００１５】
本発明の筆記用具は、机の上などに置いたときに回しノブ（３）の名札（２）が棒状筆記用具の軸（１）収納したとき、名札（２）が軸（１）より幅広になっている為、棒状筆記用具の軸（１）が丸くても転がり防止になる。更に、名札（２）に一体化された回しノブ（３）の上にフック（１０）を設け、棒状筆記用具を引っ掛けられ使い勝手が良好になる。
【００１６】
名札（２）部分及び軸（１）を透明にすると名札（２）を回しノブ（３）で出さなくても容易に名札（２）が見えて名前（９）が確認できる。
【００１７】
前記の透明軸（１）の場合、透明軸（１）を好みの色にすれば、オリジナル感が出るし、透明軸は、材質をアクリル樹脂にすれば、多種の色付けやぼかしカラーも容易に可能で所有者の識別が明確に得られる。
【００１８】
名札（２）を薄い板状のみならず、円錐状や楕円柱状にすれば、文字が小さくて確認が困難なときの拡大鏡の役目も果たすことが出来る、また、三角錐状であれば、プリズムの役目もはたし、小学生の科学の勉学にも活用できる。
【００１９】
名札（２）を数枚使用すれば、色の三原色や主要の色見本にすることに学生の勉学に活用できる。更に、名札（２）をカラフルにしたり、花柄や、サイケリックな模様、所有者の顔写真や愛する人の写真、更に家族の写真等を入れることにより、よりオリジナルな個性的な棒状筆記用具にもなりうる。
【発明を実施するための最良の形態】
【００２０】
本発明の実施の形態を図１〜図５にもとづいて説明する。
【００２１】
図においては、図１は、棒状筆記用具の正面図の全体図を現し、棒状筆記用具がどの様なものを現しているかの全体図を示し、特に、スリット（６）と回しノブ（３）の状況を表示したものである。
【００２２】
図２には、棒状筆記用具の全体側面図を現し、名札（２）が棒状筆記用具の軸（１）に収納された状況を表示したものである。
【００２３】
図３は、名札（２）が棒状筆記用具の軸（１）に収納された拡大図であり、名札（２）と回しノブ（３）の一体化状況とフック（１０）を設けた状態を示し、棒状筆記用具の軸孔（４）と回しノブの回転軸（５）の状況は、図５で示しており、回しノブの回転軸（５）のダボ（８）と棒状筆記用具軸（１）の軸孔（４）の小さい窪み（７）と嵌合状態を拡大でしめしている。
【００２４】
図４は、回しノブ（３）とその上に設けたフック（１０）と同時に、回しノブ（３）と一体化した名札（２）が、１３５度に出された状況を示したものである。
【図面の簡単な説明】
【００２５】
【図１】筆記用具の正面図。
【図２】筆記用具の全体の側面図。
【図３】筆記用具の名札の収納の部分拡大図。
【図４】筆記用具の名札を１３５度出した部分拡大斜図。
【図５】軸孔と回転軸の状態拡大図。
【符号の説明】
【００２６】
１  軸
２  名札
３  回しノブ
４  軸孔
５  回転軸
６  スリット
７  小さい窪み
８  ダボ
９  名前
１０、フック
【図１】
2007038549.tif 000003
【図２】
2007038549.tif 000004
【図３】
2007038549.tif 000005
【図４】
2007038549.tif 000006
【図５】
2007038549.tif 000007